(57)【要約】      （修正有）【課題】市販飲料用のペットボトルの保持及び着脱が可能であって、慣れない一般の運転者にも不都合なく使用でき、更に低コストにできるボトルケージを提供する。【解決手段】ペットボトル３の底部１６を前後から挟持する状態にして上下方向で着脱自在に保持する下フック部６と、ペットボトル３の頭部２１を左右から挟持する。又、前後方向で着脱自在に保持する上クランプ部７と、これら下フック部６と上クランプ部７とをペットボトル３の高さに合わせた距離で連結する基幹部５と、この基幹部５の裏面側でペットボトル３の高さ方向に並行した凹レール状に形成されることで自転車フレームと嵌合可能とされた取付背部と、基幹部５の左右両側でペットボトル３の両脇へ向けて張り出し形成された左右一対のガード部８とにより構成する。【選択図】図１
0003153241.tif 000002
【実用新案登録請求の範囲】
【請求項１】
ペットボトル（３）の底部（１６）を前後から挟持する状態にして上下方向で着脱自在に保持する下フック部（６）と、ペットボトル（３）の頭部（２１）を左右から挟持する状態にして前後方向で着脱自在に保持する上クランプ部（７）と、これら下フック部（６）と上クランプ部（７）とをペットボトル（３）の高さに合わせた距離で連結する基幹部（５）と、この基幹部（５）の裏面側でペットボトル（３）の高さ方向に並行した凹レール状に形成されることで自転車フレーム（２ａ）と嵌合可能とされた取付背部（９）と、基幹部（５）の左右両側でペットボトル（３）の両脇へ向けて張り出し形成された左右一対のガード部（８）とを有していることを特徴とするボトルケージ。
【請求項２】
前記下フック部（６）、上クランプ部（７）、基幹部（５）、取付背部（９）及び左右のガード部（８）が樹脂により一体形成されていることを特徴とする請求項１記載のボトルケージ。
【請求項３】
前記左右一対のガード部（８）は、下フック部（６）と上クランプ部（７）とで保持されるペットボトル（３）の高さ方向中央部に対応させて突出量が最大となる頂部（３０）を形成させていると共に、この頂部（３０）から少なくとも上クランプ部（７）へ近接する部位では突出高さを小さくさせることで、ペットボトル（３）の上部寄り左右両面に対応させて把持用空間（３１）を形成可能となっていることを特徴とする請求項１又は請求項２記載のボトルケージ。
【請求項４】
前記左右一対のガード部（８）は、前記頂部（３０）がペットボトル（３）のボトル中心軸（Ｐ）を超えて突出形成されていることを特徴とする請求項３記載のボトルケージ。
【請求項５】
前記上クランプ部（７）は、左右一対のクランプ片（２０）を有してこれら両クランプ片（２０）間でペットボトル（３）の頭部（２１）を挟持する挟持口（２２）を形成可能となっており、これら両クランプ片（２０）を支持する根本位置の中心部には、ペットボトル（３）の頭部（２１）に装着されるキャップ（２５）とこのキャップ装着位置へ向けて絞られたボトル首部（２６）とのいずれにも前記挟持口（２２）の内径を適合させるべく、両クランプ片（２０）に相対近接離反方向の弾性許容量を生じさせる縦スリット部（２３）が形成されていることを特徴とする請求項１乃至請求項４のいずれか１項に記載のボトルケージ。
【考案の詳細な説明】
【技術分野】
【０００１】
本考案は、自転車に取り付けられるボトルケージに関するものである。
【背景技術】
【０００２】
自転車のフレームにボトル（水筒）を着脱自在な状態で装着させるためのボトルケージは公知である（例えば、特許文献１や２など参照）。この種のボトルケージは、本来、ロードレース等の自転車競技やトライアスロン競技などの大会に参加するときの所謂、スポーツバイクで使用するものとして開発されたのが発端である。従って、走行中の水分補給のために携行するボトルがバイクに乗車する選手の邪魔とならない状態に保持できて且つ、走行振動でガタツイタリ外れたりせず、そのうえで必要に応じて簡単且つ迅速に着脱できる構造（形状）にしておくことが必要とされている。
【０００３】
なお、このようなボトルケージに対して着脱できるボトルは、容量や外形状などが規格化された競技専用となっているのが普通である。例えば、飲み口の構造には、走行中、ボトルを片手で持ったまま口で開閉できるような工夫が施されていることがあり、このようなボトルでは、ボトル首部が太く、ボトル全体として略円筒状（底部から頭部まで外径が略一定）に形成されている。
【先行技術文献】
【特許文献】
【０００４】
【特許文献１】特開平５−３０５８８７号公報
【特許文献２】特開２００７−３０２２４１号公報
【考案の概要】
【考案が解決しようとする課題】
【０００５】
最近では、一般人が使用するような市販自転車でも、流行（ファッション性）や商品差別化の一環としてボトルケージを装着することが考えられている。しかしながら、この種の自転車では商品価格としての高騰化（高級品化）を避ける必要があり、また使用上の手軽さや汎用性を持たせる意味で、競技専用のボトルではなく、市販飲料用のペットボトルを着脱できる構造（形状）とする必要が生じる。
なお、市販飲料用のペットボトルは競技専用のボトルに比して小径であり、また外形状が何ら統一されていないことから、スポーツバイク用のボトルケージで保持できないことは周知である。これらのことから、市販飲料用のペットボトルを保持できる、市販自転車用のボトルケージの開発が希求されている。
【０００６】
一方、市販自転車でこの種のボトルケージを使用する場合、慣れない一般の運転者により、ボトルケージで保持したペットボトルに手や足が不注意でぶつかることが頻発することが予測される。そのため、手や足が不注意でぶつかった際にボトルケージからペットボトルが外れないように考慮しながらも、ペットボトルの取出時には簡単に着脱できるようにしておく対策が必要となる。
本考案は、上記事情に鑑みてなされたものであって、市販飲料用のペットボトルの保持及び着脱が可能であって、慣れない一般の運転者にも不都合なく使用でき、更に低コストにできるようにしたボトルケージを提供することを目的とする。
【課題を解決するための手段】
【０００７】
前記目的を達成するために、本考案は次の手段を講じた。
即ち、本考案に係るボトルケージは、ペットボトルの底部を前後から挟持する状態にして上下方向で着脱自在に保持する下フック部と、ペットボトルの頭部を左右から挟持する状態にして前後方向で着脱自在に保持する上クランプ部と、これら下フック部と上クランプ部とをペットボトルの高さに合わせた距離で連結する基幹部と、この基幹部の裏面側でペットボトルの高さ方向に並行した凹レール状に形成されることで自転車フレームと嵌合可能とされた取付背部と、基幹部の左右両側でペットボトルの両脇へ向けて張り出し形成された左右一対のガード部とを有している。
【０００８】
このように、本考案に係るボトルケージは、ペットボトルの底部と頭部とを下フック部と上クランプ部とで挟持状にすることで、ペットボトルを保持する構成であるから、市販飲料用のペットボトルの保持及び着脱が可能となっているのである。なぜなら、現在、市販飲料用のペットボトルは、外形的な統一はされていない（ボトルデザインとして円筒形、角筒形、ひょうたん形など種々様々なものがある）ものの、容量ごとに、ボトル高さや最も太い断面部分での外接円の径などについてはほぼ共通している。
また、キャップ（口栓）の外径やキャップを締めたときにおけるボトル底からキャップまでの装着高さも略共通となっており、これに起因して、キャップを装着する口部やボトル首部の外径なども略同じとなっているからである。
【０００９】
一方、本考案に係るボトルケージは、左右一対のガード部を有しているため、ボトルケージで保持したペットボトルの横揺れを防止できると共に、手や足がペットボトルに不注意でぶつかるのを防止できる。そのため、慣れない一般の運転者にも不都合なく使用できる利点がある。
本考案に係るボトルケージは、下フック部、上クランプ部、基幹部、取付背部及び左右のガード部が樹脂により一体形成するのがよい。
このようにすることで低コスト化が可能となり、市販自転車向けのボトルケージとして好適である。
【００１０】
左右一対のガード部は、下フック部と上クランプ部とで保持されるペットボトルの高さ方向中央部に対応させて突出量が最大となる頂部を形成させていると共に、この頂部から少なくとも上クランプ部へ近接する部位では突出高さを小さくさせることで、ペットボトルの上部寄り左右両面に対応させて把持用空間を形成可能となったものとするのがよい。
このようにすることで、ペットボトルの着脱が容易且つ迅速に行えるようになる。
この場合、左右一対のガード部は、前記頂部がペットボトルのボトル中心軸を超えて突出形成されているものとするのがよい。
【００１１】
このようにすることで、ボトルケージで保持したペットボトルの横揺れを防止できると共に、手や足がペットボトルに不注意でぶつかるのを一層、確実に防止できることになる。
上クランプ部は、左右一対のクランプ片を有してこれら両クランプ片間でペットボトルの頭部を挟持する挟持口を形成可能となっており、これら両クランプ片を支持する根本位置の中心部には、ペットボトルの頭部に装着されるキャップとこのキャップ装着位置へ向けて絞られたボトル首部とのいずれにも前記挟持口の内径を適合させるべく、両クランプ片に相対近接離反方向の弾性許容量を生じさせる縦スリット部が形成されたものとしてもよい。
【００１２】
このようにすると、ペットボトルのサイズや外形状が異なる場合や、ペットボトルに残る飲料の量の多少に応じて、上クランプで挟持する位置を選択できることになる。従って、それだけ汎用性、利便性が高められることになる。
【考案の効果】
【００１３】
本考案に係るボトルケージは、市販飲料用のペットボトルの保持及び着脱が可能になり、慣れない一般の運転者にも不都合なく使用できるものとなる。また低コストにできるようになる。
【図面の簡単な説明】
【００１４】
【図１】本考案に係るボトルケージの一実施形態を示した斜視図である。
【図２】本考案に係るボトルケージの一実施形態を示した側面図である。
【図３】図２のＡ−Ａ線矢視図である。
【図４】図２のＢ−Ｂ線断面図である。
【図５】本考案に係るボトルケージの一実施形態について自転車への装着状態を示した側面図である。
【図６】本考案に係るボトルケージの一実施形態を示した側面図（ペットボトルの保持位置を異ならせた状況）である。
【考案を実施するための形態】
【００１５】
以下、本考案の実施の形態を、図面に基づき説明する。
図１乃至図４及び図６は本考案に係るボトルケージ１の一実施形態を示しており、図５はこのボトルケージ１を自転車２のフレーム（ダウンチューブ）２ａに装着した状態を例示している。なお、ペットボトル３には容量５００ｍｌで、角筒（八角形状）のものを例示してある。
図１乃至図４に示すように、このボトルケージ１は、ペットボトル３の高さ方向に長手方向を合わせるようにして設けられる基幹部５と、この基幹部５の下端側に設けられた下フック部６と、基幹部５の上端側に設けられた上クランプ部７と、基幹部５の左右両側に設けられた左右一対のガード部８とを有している。
【００１６】
基幹部５の裏面側には取付背部９が設けられており、この取付背部９を自転車フレーム２ａに当接させるようになっている。
これら基幹部５、下フック部６、上クランプ部７、左右のガード部８及び取付背部９は、例えばＡＢＳやポリカーボネイトなどの適宜樹脂により一体形成されている。
下フック部６は、基幹部５の下端部から前方（ペットボトル３を保持する側）へ向けて折曲状に突出する底部ガード１２と、この底部ガード１２の突出前端から上方へ向けて折曲状に突出する正面ガード１３とを有して形成されている。
【００１７】
底部ガード１２は、材質的な特性、及び基幹部５から突出状に設けられている構造による特性として、基幹部５寄りとなる部分を支点として上下方向への可撓性とこの可撓性に対する弾性復元性とを生起可能となっている。
下フック部６は、このような底部ガード１２の特性を利用して、正面ガード１３でペットボトル３の底部１６を基幹部５の正面へ押圧付勢し、ペットボトル３の底部１６を前後から挟持することができる。この際、ペットボトル３の外形状や外径が種々様々に異なるとしても、いずれにも対応できるようになっているものとする。このような下フック部６に対し、ペットボトル３を着脱するには、ペットボトル３を上下方向に上げ下げすることにより行うことができる。
【００１８】
なお、正面ガード１３の先端部は、指を引っ掛け易くし、且つペットボトル３の底部１６の着脱が容易となるようにするために、正面斜め上方へ向けてやや折曲され、また丸く形成されている。
また本実施形態では、底部ガード１２がペットボトル３の太さよりやや小径となる程度の円板形に形成されたものとしてある。そのため、この底部ガード１２の下方からペットボトル３の底部１６へ向けて自転車に乗る者の身体や荷物などが接触するのを、可及的に防止できるようになっている。すなわち、ボトルケージ１からペットボトル３が意に反して抜け出してしてしまうことがないようにしてある。
【００１９】
更に、底部ガード１２と正面ガード１３との連結部分（折曲部分）には、これら両者に跨るようにして長孔状の透過孔１７が形成されている。この透過孔１７により、僅かながらも、底部ガード１２に対する正面ガード１３の可撓性やこの可撓性に対する弾性復元性を生じさせることが可能となっている。従って、ペットボトル３の底部挟持力や着脱容易性を高めるうえで有益となっている。
またこの透過孔１７を形成することで材料使用量の抑制が図れ、ボトルケージ１全体としての軽量化や低コスト化に繋がる利点もある。
【００２０】
上クランプ部７は、基幹部５の上端から斜め前方へ突出して設けられた支持杆１９と、この支持杆１９の上端部から左右両側へ突出する左右一対のクランプ片２０とを有して形成されている。両クランプ片２０はそれぞれ、平面視して半円の弓形に形成されており、これら両クランプ片２０相互間で、ペットボトル３の頭部２１を挟持するための挟持口２２が形成されている。
支持杆１９には、両クランプ片２０の根本位置となる中心部を下方へ向けて縦スリット部２３が形成されている。そのため、両クランプ片２０には相対近接離反方向の弾性が生起可能になっている。このような上クランプ部７に対し、ペットボトル３を着脱するには、ペットボトル３を前後方向に押し引きすることにより行うことができる。
【００２１】
なお、各クランプ片２０の先端部は、指を引っ掛け易くし、且つペットボトル３の頭部２１の着脱が容易となるようにするために、挟持口２２の径方向外方へ向けてやや折曲され、また丸く形成されている。
ところで、ペットボトル３の頭部２１は、飲用に際してボトル口部から着脱するキャップ２５と、このキャップ２５の装着位置（ボトル口部）へ向けて絞られたボトル首部２６とを有したものとおく。
また、殆どのペットボトル３では、キャップ２５の開封履歴を明らかにするためのバージンリング２７がキャップ２５に付属されている。このバージンリング２７はキャップ２５の開封後にもボトル首部２６まわりに残存するようになっているが、このようなバージンリング２７も、ペットボトル３の頭部２１の一部として含めることができる。
【００２２】
縦スリット部２３のスリット幅や長さは、両クランプ片２０に付与される弾性許容量が、挟持口２２の内径をペットボトル３の頭部２１のうち、キャップ２５、ボトル首部２６又はバージンリング２７のいずれにも適合できるように、設定されている。
すなわち、この上クランプ部７は、図２に示すように、ボトル首部２６を左右のクランプ片２０で左右から挟持する使い方をしてもよいし、図６に示すように、バージンリング２７を左右のクランプ片２０で左右から挟持する使い方をしてもよい。また場合によっては（可能であれば）、キャップ２５を左右のクランプ片２０で左右から挟持する使い方をしてもよい。
【００２３】
そのため、ペットボトル３のサイズや外形状が異なる場合や、ペットボトル３に残る飲料の量の多少に応じて、上クランプ部７で挟持する位置を選択でき、それだけ汎用性、利便性が高められる。
ガード部８は、基幹部５の下端部近傍と上端部近傍との上下２箇所でこの基幹部５と接続されて、前方であって且つ左右外方を指向するように、斜め向きにアーチ形を形成するように張り出し形成されている。
ガード部８が形成するアーチ形において、基幹部５からの突出量が最大となる頂部３０は、下フック部６と上クランプ部７とで保持されるペットボトル３の高さ方向中央部に対応させてある。図２及び図４に示すように、この頂部３０は、ペットボトル３のボトル中心軸Ｐを超えるほどに、十分な突出量を有して形成されており、ボトルケージ１でペットボトル３が保持されたとき、このペットボトル３の横揺れを防止すると共に、手や足がペットボトルに不注意でぶつかるのを確実に防止できるものとなっている。
【００２４】
ガード部８はアーチ形であるため、この頂部３０から上クランプ部７へ向けて近接すればするほど突出高さは小さくなっており、この部分に、ペットボトル３の上部寄り左右両面を左右外方へ露出させる空間３１が形成されるようになっている。この空間３１は、ボトルケージ１に対してペットボトル３を着脱する際に、把持用のスペースとして利用可能である。
なお、ガード部８はアーチ形であるため、同様に、頂部３０から下フック部６へ向けて近接すればするほど突出高さは小さくなっており、この部分にも、ペットボトル３の下部寄り左右両面を左右外方へ露出させる空間３２が形成されるようになっている。この空間３２も、必要であれば（可能であれば）ペットボトル３を把持するためのスペースとして利用してもよい。
【００２５】
ガード部８は、アーチ形を採用するのに伴ってこれら上下の空間３１，３２を形成でき、その結果、ボトルケージ１全体としての軽量化が図れ、また外観的なスマート感やスピード感などを醸し出す利点もある。なお、本実施形態では、アーチ形の内部を更にくり抜いて大きな横開口部３５を形成させているため、これによって軽量化の一層の促進が図れると共に、材料使用量の抑制から低コスト化に繋がる利点もある。
基幹部５は、これら下フック部６と上クランプ部７とをペットボトル３の高さに合わせた距離で連結している。このような基幹部５に対し、その裏側に設けられた取付背部９は、殊更、上下方向の位置や長さなどが限定されているものではない。また、これら基幹部５と取付背部９とは互いに表裏一体で形成されたもので、それらが肉厚方向で物理的明確に区分されたものでもない。
【００２６】
取付背部９は、自転車フレーム２ａに対し、基幹部５をガタツキのないしっかりした装着状態にするための部分であって、図４に示すように、ペットボトル３の高さ方向に並行した凹レール状に形成されて、自転車フレーム２ａと嵌合可能となっている。
なお、これら基幹部５及び取付背部９の双方を表裏貫通する状態で、自転車フレーム２ａへ固定する装着ネジ用孔３７が形成されている。このネジ用孔３７は、ボトルケージ１につき、高さ方向の位置調節ができるように長孔として形成されている。
以上、詳説したところから明らかなように、本考案に係るボトルケージ１は、ペットボトル３の底部１６と頭部２１とを下フック部６と上クランプ部７とで挟持状にすることで、ペットボトル３を保持する構成であるから、種々様々な外形の存在する市販飲料用のペットボトル３であっても、それらを確実に保持し、着脱することが可能となっているのである。
【００２７】
また、本考案に係るボトルケージ１では、保持したペットボトル３に手や足が不注意でぶつかるのを左右一対のガード部８で防止できるため、慣れない一般の運転者にも不都合なく使用できるようになっている。
〔その他〕
本考案は、上記実施形態に限定されるものではなく、実施の形態に応じて適宜変更可能である。
例えば、基幹部５、下フック部６、上クランプ部７、左右のガード部８及び取付背部９のそれぞれについて、形成素材や形状（デザイン的なもの）、サイズ（保持可能とするペットボトル３の容量）などは何ら限定されるものではない。
【００２８】
また、自転車２に対する装着位置は何ら限定されるものではない。
【産業上の利用可能性】
【００２９】
本考案に係るボトルケージは、自転車用に好適であるが、自転車以外のものに適用することもできる。
【符号の説明】
【００３０】
１  ボトルケージ
２ａ  自転車フレーム
３  ペットボトル
５  基幹部
６  下フック部
７  上クランプ部
８  ガード部
９  取付背部
１６  底部
２１  頭部
２２  挟持口
２３  縦スリット部
２５  キャップ
２６  ボトル首部
３０  頂部
３１  空間
Ｐ  ボトル中心軸
【図１】
0003153241.tif 000003
【図２】
0003153241.tif 000004
【図３】
0003153241.tif 000005
【図４】
0003153241.tif 000006
【図５】
0003153241.tif 000007
【図６】
0003153241.tif 000008